(57)【特許請求の範囲】
【請求項１】
浴槽に貯留される浴槽水を該浴槽が使用する排水管を共通に使用する水洗便器の貯留タンクに供給して利用する浴槽水の利用装置において、
上記水洗便器の貯留タンクの水が使用されたとき駆動され上記浴槽の浴槽水を汲み上げるポンプを設け、該ポンプに上記水洗便器の貯留タンクに至る給水パイプを接続し、該給水パイプを可撓性パイプで構成するとともに上記排水管の内部を通して配管したことを特徴とする浴槽水の利用装置。
【請求項２】
上記浴槽に所定の水位を検知する水位検知器を設け、該水位検知器が所定の水位以下を検知したとき上記浴槽に水を供給する水供給部を備えたことを特徴とする請求項１記載の浴槽水の利用装置。
【請求項３】
上記水供給部を、上記浴槽に温湯を供給可能にするボイラを備えて構成したことを特徴とする請求項２記載の浴槽水の利用装置。
【請求項４】
上記排水管が地中に埋設され該排水管の所要の箇所に該排水管から地面に延び上端に蓋で開閉可能な点検口を有した点検管が設けられている際、上記給水パイプを上記点検管の側部から挿入して上記排水管の内部に通すことを特徴とする請求項１，２または３記載の浴槽水の利用装置。
【請求項５】
上記給水パイプを上記点検管に吊下したことを特徴とする請求項４記載の浴槽水の利用装置。
【請求項６】
上記ポンプに配管を介して接続され上記浴槽に給水可能な蛇口を設けたことを特徴とする請求項１，２，３，４または５記載の浴槽水の利用装置。
【請求項７】
上記蛇口の下部に該蛇口から流出される水を霧状に発散させる発散機構を設けたことを特徴とする請求項６記載の浴槽水の利用装置。
【請求項８】
上記ポンプに他の用途に浴槽水を使用するための他用途配管を開閉バルブを介して接続したことを特徴とする請求項１，２，３，４，５，６または７記載の浴槽水の利用装置。
【発明の詳細な説明】
【０００１】
【発明の属する技術分野】
本発明は、浴槽に貯留される浴槽水を水洗便器の貯留タンクに供給して利用する浴槽水の利用装置に関する。
【０００２】
【従来の技術】
従来、この種の浴槽水の利用装置としては、例えば、特開平９−３９７９号公報に掲載されているものが知られている。これは、図８に示すように、浴槽１を備えた浴室Ｂと、水洗便器２及びこの水洗便器２の排水用の水を供給する貯留タンク３を備えたトイレＴとを有した住宅に設置されている。浴槽１が使用する排水管５は水洗便器２の配水に共通に使用され、この排水管５は地中に埋設されている。そして、従来においては、浴槽１から排出される浴槽水の大部分を地中に埋設した貯水タンク７に貯水し、水洗便器２の貯留タンク３の水が使用されたとき揚水ポンプ６によって貯水タンク７内の浴槽水を汲み上げ、水洗便器２の貯留タンク３に供給して浴槽水を利用するようにしている。
【０００３】
【発明が解決しようとする課題】
ところで、このような従来の浴槽水の利用装置にあっては、浴槽水を貯水する貯水タンク７を別途設け、しかも、地中に埋設するとともに、浴槽１から貯水タンク７への配管，貯水タンク７から揚水ポンプ６を介して水洗便器２の貯留タンク３に至る配管を建物外部において大部分埋設して行なわなければならないことからその設置作業が煩雑になり、設置コストも高いものになっているという問題があった。
本発明は上記の問題点に鑑みて為されたもので、別途貯水タンクを設けることなく浴槽水のトイレへの供給を可能にするとともに、配管の埋設作業を容易にして設置作業を簡略化し、設置コストの低減を図り、既存の設備への設置を容易にして汎用性の向上を図った浴槽水の利用装置を提供することを目的とする。
【０００４】
【課題を解決するための手段】
このような目的を達成するため、本発明の浴槽水の利用装置は、浴槽に貯留される浴槽水を該浴槽が使用する排水管を共通に使用する水洗便器の貯留タンクに供給して利用する浴槽水の利用装置において、上記水洗便器の貯留タンクの水が使用されたとき駆動され上記浴槽の浴槽水を汲み上げるポンプを設け、該ポンプに上記水洗便器の貯留タンクに至る給水パイプを接続し、該給水パイプを可撓性パイプで構成するとともに上記排水管の内部を通して配管した構成としている。これにより、この浴槽水の利用装置を設置するときは、ポンプを適宜の箇所に設置するとともに、ポンプに水洗便器の貯留タンクに至る給水パイプを接続する。この給水パイプの配管は、排水管の内部に引き通して行なう。この場合、給水パイプはワイヤ等を用いて電線等を配線する簡易なやり方で、排水管に容易に引き通すことができる。そのため、既存の排水管を利用して、この排水管に給水パイプを引き通すことで配管ができるので、従来のように、浴槽水を貯水する貯水タンクを別途設けたり、給水パイプを地中に埋設する等の大掛かりな工事を必要としないことから、設置作業が容易になり、設置コストが低減される。
また、この浴槽水の利用装置によれば、通常は、浴槽水を排水しないでそのまま貯留しておく。この状態において、トイレで水洗便器を使用し貯留タンクの水により排水されると、ポンプが駆動して浴槽の浴槽水が汲み上げられ、給水パイプを介して貯留タンクに浴槽水が貯留される。このため、排水されて捨てられていた浴槽水が利用されるので、無駄がなく、省力化が図られる。
【０００５】
そして、必要に応じ、上記浴槽に所定の水位を検知する水位検知器を設け、該水位検知器が所定の水位以下を検知したとき上記浴槽に水を供給する水供給部を備えた構成としている。トイレでの水の使用が何回か行なわれ、浴槽の水位が下がっても、水位検知器が所定の水位を検知すると浴槽に水が供給されるので、常時所定量の浴槽水を浴槽に確保することができ、そのため、水洗便器の貯留タンクに水がなくなる事態が防止される。
また、必要に応じ、上記水供給部を、上記浴槽に温湯を供給可能にするボイラを備えて構成している。浴槽に温湯を供給することができ、そのため、浴槽に比較的温かい水を貯留することができ、この温かい水をトイレにも供給できることから冬期等の凍結を防止することができる。
【０００６】
更に、必要に応じ、上記排水管が地中に埋設され該排水管の所要の箇所に該排水管から地面に延び上端に蓋で開閉可能な点検口を有した点検管が設けられている際、上記給水パイプを上記点検管の側部から挿入して上記排水管の内部に通す構成としている。給水パイプは点検管の側部から挿入するので、わずかな部分だけの埋設で良く、大掛かりな工事を必要としないことから、この点でも設置作業が極めて容易に行なわれる。
更にまた、必要に応じ、上記給水パイプを上記点検管に吊下した構成としている。給水パイプを吊下するので、固定が確実になる。
【０００７】
また、必要に応じ、上記ポンプに配管を介して接続され上記浴槽に給水可能な蛇口を設けた構成としている。入浴中に身体に蛇口からの湯を当てる所謂滝湯を行なう等、入浴のバリエーションを増加させることができる。更に、蛇口にホースを接続して浴室で浴槽内の浴槽水を使用することもできる。
更に、必要に応じ、上記蛇口の下部に該蛇口から流出される水を霧状に発散させる発散機構を設けた構成としている。蛇口から流出される温湯を、発散機構により霧状に発散させ浴室を温湯の蒸気で充満することができ、そのため、浴室内を予め暖くすることができるので、冬等に浴室に入るときに寒くなく、快適に入浴を行なうことができるようにすることができる。
更にまた、必要に応じ、上記ポンプに他の用途に浴槽水を使用するための他用途配管を開閉バルブを介して接続した構成としている。例えば、洗濯機の洗濯水として用い、あるいは、洗車等の用に供する等、排水されて捨てられていた浴槽水を種々に利用することができるので、無駄がなく、省力化を図ることができる。
【０００８】
【発明の実施の形態】
以下、添付図面に基づいて、本発明の実施の形態に係る浴槽水の利用装置について詳細に説明する。尚、上記と同様のものには同一の符号を付して説明する。図１乃至図３に示すように、実施の形態に係る浴槽水の利用装置は、浴槽１を備えた浴室Ｂと、水洗便器２及びこの水洗便器２の排水用の水を供給する貯留タンク３を備えたトイレＴとを有した住宅に設置されている。浴槽１を含む浴室Ｂが使用する排水管５は水洗便器２の配水に共通に使用され、この排水管５は地中に埋設されている。また、台所Ｄの排水管５も同様に水洗便器２の配水に共通に使用され、この排水管５は地中に埋設されている。排水管５の所要の箇所には、図１，図２，図４及び図５に示すように、排水管５から地面に延び上端に蓋１１で開閉可能な点検口１２を有した点検管１０が設けられている。点検管１０は排水管５の適宜の箇所に設けられている。
【０００９】
実施の形態に係る浴槽水の利用装置において、水洗便器２の貯留タンク３の水が使用されたとき駆動され浴槽１の浴槽水を汲み上げるポンプ２０を設け、このポンプ２０に水洗便器２の貯留タンク３に至る給水パイプ２１を接続している。２２は浴槽１内に配管されポンプ２０に至る浴槽水の吸引パイプである。
給水パイプ２１は水洗便器２の貯留タンク３の吐出口２３に接続されている。吐出口２３には、この吐出口２３を開閉する周知のフロート開閉弁２４が設けられている。ポンプ２０は、貯留タンク３の水が使用されてフロート開閉弁２４が吐出口２３を開にしたとき、給水パイプ２１の管圧を検知して作動するもので、周知の市販のタイプのものが用いられる。
給水パイプ２１は、例えば、ファイバで補強された樹脂パイプ等の可撓性パイプで構成されており、排水管５の内部を通して配管されている。
詳しくは、図４及び図５に示すように、給水パイプ２１は、点検管１０の側部の穴１３から挿入されて、排水管５の内部に引き通されている。そして、給水パイプ２１は、点検管１０にチェーン等の索体１４で吊下されている。この場合、点検管１０の蓋１１下部に鉄筋１５を通し、索体１４の端を鉄筋に括りつけ、もう一方の索体１４の端を給水パイプ２１に括りつける。このため、給水パイプ２１を索体１４で固定するので、固定が確実になる。また、外部に露出している給水パイプ２１には、寒冷地用のヒータ１６が巻回されている。
【００１０】
また、図１乃至図３，図７に示すように、実施の形態に係る浴槽水の利用装置において、浴槽１には、所定の水位を検知する水位検知器２６が設けられており、この水位検知器２６が所定の水位以下を検知したとき浴槽１に水を供給する水供給部３０が備えられている。水供給部３０は、浴槽１に湯を供給可能にするボイラ３１を備えて構成されている。詳しくは、実施の形態では、水供給部３０は、ガス等を熱源とする周知の給湯装置で構成され、水もしくは適温の温湯を選択的に供給でき、浴槽１へ至る水供給配管３２，給湯用のメイン配管３３及びシャワー用のシャワー配管３４が並列に接続されている。水位検知器２６は、例えば、水供給配管３２の吐出口３２ａを開閉する周知のフロート開閉弁３５で構成されている。水供給部３０は、浴槽１の水が使用されて所定の水位になってフロート開閉弁３５が水供給配管３２の吐出口３２ａを開にしたとき、管圧を検知して作動する。水供給配管３２には、手動の開閉バルブ３６が介装されており、浴槽１の掃除等を行なう際に、水供給配管３２からの水供給を停止できるようになっている。
【００１１】
更に、実施の形態に係る浴槽水の利用装置において、ポンプ２０に配管４１を介して接続され浴槽１に給水可能な蛇口４０が設けられている。この蛇口４０を開にすると、ポンプ２０を介して浴槽１の浴槽水が循環させられることになる。
また、図６及び図７に示すように、蛇口４０の下部に蛇口４０から流出される水を霧状に発散させる発散機構４２が設けられている。この発散機構４２は、吸引パイプ２２に蛇口４０から流出する温湯を衝突させて跳ね返らせる跳ね返り板４３を設けて構成されている。この温湯の跳ね返りにより、浴室Ｂを温湯の蒸気で充満できるようにしている。
また、図２及び図３に示すように、ポンプ２０には、他の用途に浴槽水を使用するための他用途配管４４が開閉バルブ４５を介して接続されている。実施の形態では、他用途配管４４として、例えば洗濯機の洗濯水として用いるために洗濯機に配管される内部配管４４ａと、洗車や火災時の消火用として用いるために配管される外部配管４４ｂとを備えている。
【００１２】
従って、この実施の形態に係る浴槽水の利用装置を設置するときは、ポンプ２０を適宜の箇所に設置し、浴槽１において、ポンプ２０に至る吸引パイプ２２を配管するとともに、このポンプ２０に水洗便器２の貯留タンク３に至る給水パイプ２１を接続する。この給水パイプ２１の配管は、適宜の点検管１０の側部に形成した穴１３から挿入し、排水管５の内部に引き通して行なう。この場合、給水パイプ２１は点検管１０の側部から挿入するので、穴１３に至るわずかな部分だけの埋設で良く、また、給水パイプ２１はワイヤ等を用いて電線等を配線する簡易なやり方で、排水管５に容易に引き通すことができる。そのため、既存の排水管５を利用して、この排水管５に給水パイプ２１を引き通すことで配管ができるので、従来のように、浴槽水を貯水する貯水タンクを別途設けたり、給水パイプ２１を地中に埋設する等の大掛かりな工事を必要としないことから、設置作業が容易になり、設置コストが低減される。また、点検管１０の蓋１１下部に鉄筋１５を通し、索体１４の端を鉄筋に括りつけ、もう一方の索体１４の端を給水パイプ２１に括りつける。このため、給水パイプ２１を索体１４で固定するので、固定が確実になる。
また、水供給部３０としての給湯装置に水供給配管３２及び水位検知器２６を設け、ポンプ２０に配管４１を介して接続される蛇口４０を設けるとともに、発散機構４２も設ける。更に、ポンプ２０に他用途配管４４を接続する。これらは、ほとんどが地上での工事なので、大掛かりな工事を必要としないことから、設置作業が容易に行なわれる。
【００１３】
次に、実施の形態に係る浴槽水の利用装置を使用するときは、以下のようにして行なう。
先ず、入浴するときに、温湯を浴槽１に入れるときは、水供給部３０としての給湯装置から給湯用のメイン配管３３により給湯する。そして入浴する前に、この蛇口４０を開にし、ポンプ２０を介して浴槽１の浴槽水を循環させる。蛇口４０から流出される温湯は、発散機構４２により霧状に発散させられる。即ち、吸引パイプ２２に設けられた跳ね返り板４３に蛇口４０から流出する温湯が衝突して跳ね返って霧状になるので、浴室Ｂが温湯の蒸気で充満され、そのため、浴室Ｂ内を予め暖くすることができるので、冬等に浴室Ｂに入るときに寒くなく、快適に入浴を行なうことができるようになる。
また、蛇口４０を高い位置に設定すれば、入浴中に身体に蛇口４０からの湯を当てる所謂滝湯を行なうことができ、入浴のバリエーションが増加する。更に、蛇口４０にホースを接続して浴室Ｂで浴槽１内の浴槽水を使用することもできる。シャワーを使用するときは、給湯装置からシャワー配管３４により給湯すれば良い。
【００１４】
入浴を行なわないときは、浴槽水を排水しないでそのまま貯留しておく。この状態において、トイレＴで水洗便器２を使用し貯留タンク３の水により排水されると、貯留タンク３の吐出口２３を開閉するフロート開閉弁２４が開になり、これによりポンプ２０が駆動し、吸引パイプ２２を介して浴槽１の浴槽水が汲み上げられ、給水パイプ２１を介して貯留タンク３に浴槽水が貯留される。このため、排水されて捨てられていた浴槽水が利用されるので、無駄がなく、省力化が図られる。
そして、トイレＴでの使用が何回か行なわれ、浴槽１の水位が下がって水位検知器２６が所定の水位を検知すると、即ち、水供給配管３２の吐出口３２ａをフロート開閉弁３５が開にすると、水供給部３０としての給湯装置が作動し、フロート開閉弁３５が閉になるまで、浴槽１に水もしくは温湯を供給する。そのため、常時所定量の浴槽水が浴槽１に確保されることになるので、水洗便器２の貯留タンク３に水がなくなる事態が防止される。水供給部３０から温湯を供給する場合には、浴槽１に比較的温かい水を貯留でき、この温かい水をトイレＴにも供給できることから冬期等の凍結を防止することができる。
尚、入浴中にトイレＴを使用しても、浴槽１には浴槽水があるので、上記と同様に浴槽水が利用される。
尚また、入浴前に、浴槽１の掃除等を行なう際には、浴槽水を全部排水することがあるが、この場合には、例えば、水供給配管３２の手動の開閉バルブ３６を閉にして水供給配管３２からの水供給を停止し、ポンプ２０を一時的に停止すれば良い。また、浴槽１が空になっている間は、トイレＴへの給水が不能になるが、極めて一時的なので、ほとんど支障が生じることがない。
【００１５】
また、他用途配管４４を用いて他の用途に浴槽水を使用する場合には、開閉バルブ４５を開にして、例えば、洗濯機の洗濯水として用い、あるいは、洗車や庭木等の水遣り等の用に供する。また、身体障害者のための可動式浴槽への給湯にも用いることができ、火災時の消火用等非常時の給水としても用いることができる。この場合も、排水されて捨てられていた浴槽水が利用されるので、無駄がなく、省力化が図られる。また、浴槽１の水位が下がって水位検知器２６が所定の水位を検知すると、即ち、水供給配管３２の吐出口３２ａをフロート開閉弁３５が開にすると、水供給部３０としての給湯装置が作動し、フロート開閉弁３５が閉になるまで、浴槽１に水もしくは温湯を供給する。そのため、常時所定量の浴槽水が浴槽１に確保されることになるので、他の用途での水がなくなる事態が防止される。
【００１６】
【発明の効果】
以上説明したように、本発明の浴槽水の利用装置によれば、水洗便器の貯留タンクの水が使用されたとき駆動され浴槽の浴槽水を汲み上げるポンプを設け、ポンプに水洗便器の貯留タンクに至る給水パイプを接続し、この給水パイプを可撓性パイプで構成するとともに排水管の内部を通して配管したので、給水パイプはワイヤ等を用いて電線等を配線する簡易なやり方で排水管に容易に引き通すことができ、しかも、既存の排水管を利用して給水パイプを配管することができ、従来のように、浴槽水を貯水する貯水タンクを別途設けたり、給水パイプを地中に埋設する等の大掛かりな工事を必要としないことから、設置作業を極めて容易に行なうことができ、設置コストを大幅に低減することができる。
そして、トイレで水洗便器を使用し貯留タンクの水により排水されると、ポンプが駆動し、浴槽の浴槽水が汲み上げられて貯留タンクに浴槽水が貯留される。このため、排水されて捨てられていた浴槽水をトイレの排水に利用できるので、無駄がなく、省力化を図ることができる。
【００１７】
また、浴槽に所定の水位を検知する水位検知器を設け、水位検知器が所定の水位以下を検知したとき浴槽に水を供給する水供給部を備えた場合には、トイレでの水の使用が何回か行なわれ、浴槽の水位が下がっても、水位検知器が所定の水位を検知すると浴槽に水が供給されるので、常時所定量の浴槽水を浴槽に確保することができ、そのため、水洗便器の貯留タンクに水がなくなる事態を防止することができる。
更に、水供給部を、浴槽に湯を供給可能にするボイラを備えて構成した場合には、浴槽に温湯を供給することができ、そのため、浴槽に比較的温かい水を貯留することができ、この温かい水をトイレにも供給できることから冬期等の凍結を防止することができる。
【００１８】
更にまた、排水管が地中に埋設され排水管の所要の箇所に排水管から地面に延び上端に蓋で開閉可能な点検口を有した点検管が設けられている際、給水パイプを点検管の側部から挿入して排水管の内部に通す場合には、給水パイプは点検管の側部から挿入するので、わずかな部分だけの埋設で良く、大掛かりな工事を必要としないことから、この点でも設置作業を極めて容易に行なうことができ、設置コストを大幅に低減することができる。
また、給水パイプを点検管に吊下した場合には、給水パイプを吊下するので、固定が確実になる。
【００１９】
そして、ポンプに配管を介して接続され浴槽に給水可能な蛇口を設けた場合には、入浴中に身体に蛇口からの湯を当てる所謂滝湯を行なう等、入浴のバリエーションを増加させることができる。更に、蛇口にホースを接続して浴室で浴槽内の浴槽水を使用することもできる。
この場合、蛇口の下部に蛇口から流出される水を霧状に発散させる発散機構を設けた場合には、蛇口から流出される温湯を、発散機構により霧状に発散させ浴室を温湯の蒸気で充満することができ、そのため、浴室内を予め暖くすることができるので、冬等に浴室に入るときに寒くなく、快適に入浴を行なうことができるようにすることができる。
また、ポンプに他の用途に浴槽水を使用するための他用途配管を開閉バルブを介して接続した場合には、例えば、洗濯機の洗濯水として用い、あるいは、洗車等の用に供する等、排水されて捨てられていた浴槽水を種々に利用することができるので、無駄がなく、省力化を図ることができる。
【図面の簡単な説明】
【図１】本発明の実施の形態に係る浴槽水の利用装置の設置状態を示す図である。
【図２】本発明の実施の形態に係る浴槽水の利用装置の設置状態を示す配管図である。
【図３】本発明の実施の形態に係る浴槽水の利用装置を示す配管図である。
【図４】本発明の実施の形態に係る浴槽水の利用装置の給水パイプの配管状態を示す要部斜視図である。
【図５】本発明の実施の形態に係る浴槽水の利用装置の給水パイプの配管状態を示す要部断面図である。
【図６】本発明の実施の形態に係る浴槽水の利用装置の発散機構を示す斜視図である。
【図７】本発明の実施の形態に係る浴槽水の利用装置の浴槽における状態を示す図である。
【図８】従来の浴槽水の利用装置の一例を示す図である。
【符号の説明】
Ｂ  浴室
Ｔ  トイレ
Ｄ  台所
１  浴槽
２  水洗便器
３  貯留タンク
５  排水管
１０  点検管
１１  蓋
１２  点検口
１３  穴
１４  索体
１５  鉄筋
１６  ヒータ
２０  ポンプ
２１  給水パイプ
２２  吸引パイプ
２３  吐出口
２４  フロート開閉弁
２６  水位検知器
３０  水供給部
３１  ボイラ
３２  水供給配管
３２ａ  吐出口
３３  メイン配管
３４  シャワー配管
３５  フロート開閉弁（２６）
３６  開閉バルブ
４０  蛇口
４１  配管
４２  発散機構
４３  跳ね返り板
４４  他用途配管
４４ａ  内部配管
４４ｂ  外部配管
４５  開閉バルブ
【図１】
0003574801.tif 000002
【図２】
0003574801.tif 000003
【図３】
0003574801.tif 000004
【図４】
0003574801.tif 000005
【図５】
0003574801.tif 000006
【図６】
0003574801.tif 000007
【図７】
0003574801.tif 000008
【図８】
0003574801.tif 000009